(57)【要約】【課題】液晶表示パネルの表示駆動時に外部に生じる電界の変化で生じる応力によって光学シートが振動し、振動音が発生することを防止する。【解決手段】液晶表示パネル１とバックライト６との間には、バックライト６側から、透明導電シート１２、拡散シート１３およびプリズムシート１４がこの順で設けられている。液晶表示パネル１がアクティブマトリクス型で、共通電極が反転駆動されて表示駆動されると、共通電極電位の周期的な反転により、液晶表示パネルの外部に電界の変化が生じる。そして、何ら対策を講じない場合には、静電気を帯びた拡散シート１３やプリズムシート１４が上記電界の方向の周期的な変化に応じて振動する。そこで、これを防止するため、液晶表示パネル１の表示駆動時に、透明導電シート１２に、液晶表示パネル１の共通電極に印加される共通電極信号（＋ＶＣＯＭ）を反転した補償信号（−ＶＣＯＭ）を印加する。【選択図】        図１
2004184885.tif 000002
【特許請求の範囲】
【請求項１】
液晶表示パネルとその裏面側に配置されたバックライトとの間に絶縁性の光学シートが設けられた液晶表示モジュールにおいて、
前記液晶表示パネルの表示駆動時に、該液晶表示パネルに印加される駆動信号に基づいて該液晶表示パネルの外部に生じる電界の変化を低減させる電界補償手段を有することを特徴とする液晶表示モジュール。
【請求項２】
請求項１に記載の発明において、
前記液晶表示モジュールは、前記液晶表示パネルの下部に設けられた透明導電シートを有し、
前記電界補償手段は、前記透明導電シートに、前記電界の変化に対して逆の極性を有する所定の補償信号を印加する手段を有することを特徴とする液晶表示モジュール。
【請求項３】
請求項２に記載の発明において、
前記透明導電シートは、前記光学シートと前記バックライトの間に設けられていることを特徴とする液晶表示モジュール。
【請求項４】
請求項２に記載の発明において、
前記バックライトは導光板およびその裏面側に設けられた反射シートを有し、
前記透明導電シートは、前記導光板と前記反射シートとの間に設けられていることを特徴とする液晶表示モジュール。
【請求項５】
請求項２に記載の発明において、
前記液晶表示パネルはアクティブマトリクス型で、共通電極を備え、該液晶表示パネルの表示駆動において、前記共通電極に共通電極反転駆動信号が印加されて反転駆動され、
前記補償信号は、前記共通電極反転駆動信号を反転した信号に基づく信号であることを特徴とする液晶表示モジュール。
【請求項６】
請求項１に記載の発明において、
前記バックライトは導光板およびその裏面側に設けられた反射シートを有し、
前記電界補償手段は、前記反射シートに所定の補償信号を印加する手段を有していることを特徴とする液晶表示モジュール。
【請求項７】
請求項６に記載の発明において、
前記液晶表示パネルはアクティブマトリクス型で、共通電極を備え、該液晶表示パネルの表示駆動において、前記共通電極に共通電極反転駆動信号が印加されて反転駆動され、
前記補償信号は、前記共通電極反転駆動信号を反転した信号に基づく信号であることを特徴とする液晶表示モジュール。
【請求項８】
請求項１に記載の発明において、
前記光学シートは拡散シートであることを特徴とする液晶表示モジュール。
【請求項９】
請求項１に記載の発明において、
前記光学シートはプリズムシートであることを特徴とする液晶表示モジュール。
【発明の詳細な説明】
【０００１】
【発明の属する技術分野】
この発明は液晶表示モジュールに関し、詳細には、液晶表示パネルの表示駆動時に静電気に起因する振動音の発生を防止することができる液晶表示モジュールに関する。
【０００２】
【従来の技術】
従来の液晶表示モジュールには、液晶表示パネルとその裏面側に配置されたバックライトとの間に、輝度むらをなくすための拡散シートや集光効率を良くするためのプリズムシート等の光学シートを設けたものがある（例えば、特許文献１参照）。
【０００３】
【特許文献１】
特開平７−２８１１８５号公報
【０００４】
ところで、アクティブマトリクス型の液晶表示パネルでは、共通電極を備え、該液晶表示パネルの表示駆動においては、この共通電極の電位を所定の周期で反転する駆動が行われる。例えば、図３に示すようなフィールド反転駆動方式の場合、ここでは簡単に説明すると、同図（ｃ）に示すように、共通電極信号がフィールド期間毎に反転するように駆動されて、液晶に印加される電圧もこれに応じて反転される。
【０００５】
一方、上記従来の液晶表示モジュールでは、拡散シートやプリズムシートが絶縁性樹脂によって形成されているため、それらの外面に、製造工程時の摩擦等により静電気が固着することがある。そして、液晶表示モジュールを組み立てた後においては、液晶表示パネルとバックライトとの間に設けられた拡散シートやプリズムシートに固着された静電気は除去しにくい。
【０００６】
【発明が解決しようとする課題】
このように、液晶表示パネルとバックライトとの間に設けられた拡散シートやプリズムシート等の光学シートに静電気が固着されていると、周囲の電界の変化に応じて、これらの光学シートが応力を受けることになる。このために、液晶表示パネルの表示駆動時に、共通電極の電位が周期的に反転することにより、液晶表示パネルの外部に電界の変化が生じる。この共通電極の電位変化の振幅は、通常、数ボルトの電圧を有する比較的大きなものであるため、電界の変化も比較的大きく、この電界の変化に応じて光学シートが振動することがあり、これにより液晶表示モジュールから振動音が発生することがある。この振動音は微弱ではあるが、このような液晶表示モジュールを携帯電話に搭載した場合、ユーザーが携帯電話を使用するとき、液晶表示モジュールが耳の近くに位置することになるため、その振動音が耳ざわりになるという問題があった。
そこで、この発明は、液晶表示パネルの表示駆動時に外部に生じる電界の変化を低減させて、光学シートが振動することを抑制し、それにより振動音の発生を抑制することができる液晶表示モジュールを提供することを目的とする。
【０００７】
【課題を解決するための手段】
請求項１に記載の発明は、液晶表示パネルとその裏面側に配置されたバックライトとの間に絶縁性の光学シートが設けられた液晶表示モジュールにおいて、前記液晶表示パネルの表示駆動時に、該液晶表示パネルに印加される駆動信号に基づいて該液晶表示パネルの外部に生じる電界の変化を低減させる電界補償手段を有することを特徴とするものである。
請求項２に記載の発明は、請求項１に記載の発明において、前記液晶表示モジュールは、前記液晶表示パネルの下部に設けられた透明導電シートを有し、前記電界補償手段は、前記透明導電シートに、前記電界の変化に対して逆の極性を有する所定の補償信号を印加する手段を有することを特徴とするものである。
請求項３に記載の発明は、請求項２に記載の発明において、前記透明導電シートは、前記光学シートと前記バックライトの間に設けられていることを特徴とするものである。
請求項４に記載の発明は、請求項２に記載の発明において、前記バックライトは導光板およびその裏面側に設けられた反射シートを有し、前記透明導電シートは、前記導光板と前記反射シートとの間に設けられていることを特徴とするものである。
請求項５に記載の発明は、請求項２に記載の発明において、前記液晶表示パネルはアクティブマトリクス型で、共通電極を備え、該液晶表示パネルの表示駆動において、前記共通電極に共通電極反転駆動信号が印加されて反転駆動され、前記補償信号は、前記共通電極反転駆動信号を反転した信号に基づく信号であることを特徴とするものである。
請求項６に記載の発明は、請求項１に記載の発明において、前記バックライトは導光板およびその裏面側に設けられた反射シートを有し、前記電界補償手段は、前記反射シートに所定の補償信号を印加する手段を有していることを特徴とするものである。
請求項７に記載の発明は、請求項６に記載の発明において、前記液晶表示パネルはアクティブマトリクス型で、共通電極を備え、該液晶表示パネルの表示駆動において、前記共通電極に共通電極反転駆動信号が印加されて反転駆動され、前記補償信号は、前記共通電極反転駆動信号を反転した信号に基づく信号であることを特徴とするものである。
請求項８に記載の発明は、請求項１に記載の発明において、前記光学シートは拡散シートであることを特徴とするものである。
請求項９に記載の発明は、請求項１に記載の発明において、前記光学シートはプリズムシートであることを特徴とするものである。
そして、この発明によれば、液晶表示パネルの表示駆動時に、液晶表示パネルに印加される駆動信号に基づいて液晶表示パネルの外部に生じる電界の変化を低減させる電界補償手段を備えているため、光学シートが振動することを抑制することができ、光学シートが振動することによる振動音の発生を抑制することができる。
【０００８】
【発明の実施の形態】
図１はこの発明の第１実施形態としての液晶表示モジュールの要部を示した断面図である。この液晶表示モジュールは、液晶表示パネル１を備えている。液晶表示パネル１は、２枚のガラス基板２、３がほぼ方形枠状のシール材（図示せず）を介して貼り合わされ、シール材の内側における両ガラス基板２、３間に液晶（図示せず）が封入され、両ガラス基板２、３の各外面に偏光板４、５が貼り付けられたものからなっている。
【０００９】
液晶表示パネル１の裏面側（反表示面側）にはエッジライト方式のバックライト６が配置されている。バックライト６は、液晶表示パネル１の裏面側のガラス基板３に沿ってほぼ対向させて配置された導光板７を備えている。導光板７は、平面形状が方形状であって、所定の一端面（図１では右端面）を入射面８とされ、液晶表示パネル１に対向させる表面を出射面９とされた構造となっている。導光板７の裏面には反射シート１０が設けられている。導光板７の入射面８に対向する位置には発光ダイオードや蛍光ランプ等からなる光源１１が配置されている。
【００１０】
液晶表示パネル１とバックライト６との間には、バックライト６側から、透明導電シート１２、拡散シート１３およびプリズムシート１４がこの順で設けられている。透明導電シート１２は、例えば、透明な樹脂フィルムの片側表面全体にＩＴＯ等からなる透明導電層が設けられたものからなっている。拡散シート１３およびプリズムシート１４は絶縁性樹脂によって形成されている。そして、バックライト６、透明導電シート１２、拡散シート１３、プリズムシート１４および液晶表示パネル１は、図示されていないケース内の所定のスペースに配置されることにより、１個の液晶表示モジュールとなる。
【００１１】
上記のように構成された液晶表示モジュールにおいては、光源１１から出た光は導光板７の入射面８に入射され、反射シート１０によって反射されつつ導光板７の出射面９から平面的に出射される。この出射光は透明導電シート１２を透過し、拡散シート１３を透過しつつ拡散され、プリズムシート１４を透過しつつ集光され、液晶表示パネル１の裏面に入射される。液晶表示パネル１は、図示しない駆動装置により表示駆動され、液晶表示パネル１の表示駆動に応じた画像光が液晶表示パネル１の表面から出射される。
【００１２】
ここで、上記液晶表示パネル１はアクティブマトリクス型であり、その一部の等価回路図を図２に示す。行方向に配置された走査ライン２１と列方向に配置されたデータライン２２との交点近傍には薄膜トランジスタ２３が設けられている。薄膜トランジスタ２３のゲート電極Ｇは走査ライン２１に接続され、ドレイン電極Ｄはデータライン２３に接続されている。薄膜トランジスタ２３のソース電極Ｓには画素容量部２４および補助容量部２５が並列に接続されている。
【００１３】
画素容量部２４は、両ガラス基板２、３の各内面に設けられた画素電極（図示せず）および共通電極（図示せず）とその間に介在された液晶（図示せず）とによって形成されている。補助容量部２５は、画素電極とそれに対向配置された補助容量電極（図示せず）との重合部によって形成されている。
【００１４】
また、上記液晶表示パネル１は、例えば、フィールド反転駆動方式により表示駆動される。フィールド反転駆動方式の場合の駆動波形、および、後述する補償信号の波形を図３に示す。すなわち、図３（ａ）は走査ライン２１に印加される走査信号を示し、図３（ｂ）はデータライン２２に印加されるデータ信号を示し、図３（ｃ）は共通電極に印加される共通電極信号を示す。
【００１５】
この場合、走査信号（ＶＧ）は、１フィールド期間毎に選択パルスが印加されるように構成され、データ信号（ＶＳ）は、１フィールド期間毎に信号電圧の極性が反転されるように構成され、共通電極信号（＋ＶＣＯＭ）は、１フィールド期間毎に、データ信号と逆極性に反転されるように構成される。
【００１６】
なお、液晶表示パネルの駆動方法は、上記フィールド反転駆動方式に限るものではなく、例えば、ライン反転駆動方式を適用するものであってもよい。この場合、データ信号、および共通電極信号は、１水平走査期間毎に、互いに逆極性に反転されるように構成される。いずれにしても、本発明においては、共通電極の電位が周期的に反転駆動される場合を対象としているものである。
【００１７】
このように、上記液晶表示パネル１がアクティブマトリクス型で、例えば、フィールド反転駆動方式により表示駆動される場合には、共通電極信号がフィールド期間毎に、例えば数ボルトの振幅で反転するため、この共通電極に印加される電圧により、液晶表示パネル１の外部に形成される電界の方向も周期的に反転する。
【００１８】
この結果、上記構成の液晶表示モジュールにおいて、絶縁性樹脂からなる拡散シート１３やプリズムシート１４に何らかの理由により静電気が固着されている場合には、何ら対策を講じないと、液晶表示パネル１の表示駆動時に、共通電極の印加電圧により形成される電界の方向の周期的な反転により、拡散シート１３やプリズムシート１４が応力を受けて、これらの光学シートが振動し、振動音が発生することがある。
【００１９】
これに対し、上記構成の液晶表示モジュールでは、バックライト６の導光板７と拡散シート１３との間に透明導電シート１２を設けている。そして、液晶表示パネル１の表示駆動時に、透明導電シート１２に、液晶表示パネル１の共通電極に印加される共通電極信号（＋ＶＣＯＭ）を反転した信号（−ＶＣＯＭ）を補償信号として印加する。
【００２０】
フィールド反転駆動方式の場合の補償信号の例を図３（ｄ）に示す。これにより、液晶表示パネル１と透明導電シート１２との間においては、共通電極信号（＋ＶＣＯＭ）に応じた液晶印加電圧により形成される電界が、透明導電シート１２に印加された補償信号（−ＶＣＯＭ）によりほぼ打ち消されることになる。
【００２１】
これにより、拡散シート１３やプリズムシート１４が振動することが抑制され、液晶表示パネル１の表示駆動時に拡散シート１３やプリズムシート１４が振動することによって発生する振動音の発生を抑制することができる。これにより、この液晶表示モジュールを携帯電話の表示装置として用いても、使用時に耳ざわりな振動音が生じることを実質的に無くすことができる。
【００２２】
なお、上記実施形態では、透明導電シート１２をバックライト６の導光板７と拡散シート１３との間に設けた場合について説明したが、これに限定されるものではない。例えば、図４に示すこの発明の第２実施形態のように、バックライト６の導光板７と反射シート１０との間に透明導電シート１２を設けるようにしてもよい。
【００２３】
また、透明導電シート１２を用いずに、図５に示すこの発明の第３実施形態のように、バックライト６の反射シート１０に透明導電シートとしての役目を持たせるようにしてもよい。すなわち、反射シート１０は銀ペーストが塗布された樹脂シートやアルミニウム薄板等によって形成されていて、導電性を有するため、この反射シート１０に、液晶表示パネル１の表示駆動時に、液晶表示パネル１の共通電極に印加される共通電極信号（＋ＶＣＯＭ）を反転した補償信号（−ＶＣＯＭ）を印加するようにしてもよい。この場合、透明導電シートを用いないため、透明導電シートを用いた場合の、光の減衰量の増加による表示輝度の低下が生じないようにすることができる。
【００２４】
ところで、上記各実施例では、補償信号として共通電極信号を反転した信号（−ＶＣＯＭ）を用いるようにして、共通電極信号と振幅が同じで、極性が反転した信号とするようにしたが、これに限るものではなく、補償信号の振幅の値を、良好な振動防止効果が得られるように、必要に応じて適宜設定するようにしてもよい。
【００２５】
例えば、バックライト６の導光板７と反射シート１０との間に透明導電シート１２を設けたり、反射シート１０に透明導電シートとしての役目を持たせたりする場合には、液晶表示パネル１との距離が上記第１実施形態の場合よりもやや大きくなるため、振動防止効果が若干低下することがある。このような場合には、例えば、補償信号の振幅をＶＣＯＭよりも絶対値でやや大きくするようにしてもよい。
【００２６】
【発明の効果】
以上説明したように、この発明によれば、液晶表示パネルの表示駆動時に、液晶表示パネルに印加される駆動信号に基づいて液晶表示パネルの外部に生じる電界の変化を低減させる電界補償手段を備えているため、光学シートが振動することを抑制することができ、光学シートが振動することによる振動音の発生を抑制することができる。
【図面の簡単な説明】
【図１】この発明の第１実施形態としての液晶表示モジュールの要部の断面図。
【図２】液晶表示パネルの一部の等価回路図。
【図３】アクティブマトリクス型の液晶表示パネルのフィールド反転駆動方式、および、補償信号を説明するために示す信号波形図。
【図４】この発明の第２実施形態としての液晶表示モジュールの要部の断面図。
【図５】この発明の第３実施形態としての液晶表示モジュールの要部の断面図。
【符号の説明】
１  液晶表示パネル
２、３  ガラス基板
４、５  偏光板
６  バックライト
７  導光板
１０  反射シート
１１  光源
１２  透明導電シート
１３  拡散シート
１４  プリズムシート
【図１】
2004184885.tif 000003
【図２】
2004184885.tif 000004
【図３】
2004184885.tif 000005
【図４】
2004184885.tif 000006
【図５】
2004184885.tif 000007